(57)【要約】【課題】  非常電話装置で通信に用いられる配線に異常が発生した場合も、利用可能な非常電話システムを提供すること。【解決手段】  互いに通信可能に接続された非常電話装置１０と無線通信装置２０を備える非常電話システム１において、無線通信装置２０は、外部と無線通信する第２通信部２０１と、外部と非常電話装置とを接続する配線３０に対する電力供給の有無を判定する判定部２００とを含む。非常電話装置１０は、判定部２００によって電力供給があると判定された場合は配線３０を介して外部と通信し、判定部２００によって電力供給がないと判定された場合は第２通信部２０１を介して外部と通信する第１通信部１００を含む。【選択図】      図１
2019134385.tif 000002
【特許請求の範囲】
【請求項１】
互いに通信可能に接続された無線通信装置と非常電話装置とを備え、
前記無線通信装置は、
外部と無線通信する無線通信部と、
外部と前記非常電話装置とを接続する配線に対する電力供給の有無を判定する判定部とを含み、
前記非常電話装置は、
前記判定部によって電力供給があると判定された場合は前記配線を介して外部と通信し、前記判定部によって電力供給がないと判定された場合は前記無線通信部を介して外部と通信する有線通信部を含む、
非常電話システム。
【請求項２】
前記無線通信装置と通信可能に接続され、かつ前記配線からの電力供給により蓄電する蓄電池をさらに備え、
前記蓄電池は、前記判定部によって電力供給がないと判定された場合、前記非常電話装置に対する電力供給を開始し、前記判定部によって電力供給があると判定された場合、前記非常電話装置に対する電力供給を停止する、
請求項１に記載の非常電話システム。
【請求項３】
非常電話装置と互いに通信可能に接続され、
外部と無線通信する無線通信部と、
外部と非常電話装置とを接続する配線に対する電力供給の有無を判定する判定部とを含み、
前記判定部は、電力供給がないと判定した場合は、前記非常電話装置に前記配線の異常を示す異常通知を送信し、前記異常通知を送信した後、電力供給があると判定した場合は、前記異常の解消を示す解消通知を前記非常電話装置へ送信し、
前記無線通信部は、前記判定部によって電力供給がないと判定された場合は、前記非常電話装置からの接続要求を外部に転送する、
無線通信装置。
【請求項４】
互いに通信可能に接続された無線通信装置と非常電話装置とを備える非常電話システムにおいて、
前記無線通信装置は、
外部と無線通信し、
外部と前記非常電話装置とを接続する配線に対する電力供給の有無を判定し、
前記非常電話装置は、
前記無線通信装置によって電力供給があると判定された場合は前記配線を介して外部と通信し、前記無線通信装置によって電力供給がないと判定された場合は前記無線通信装置を介して外部と通信する、
非常電話方法。
【請求項５】
互いに通信可能に接続された無線通信装置と非常電話装置とにおいて、
前記無線通信装置を実現するコンピュータに、
外部と無線通信する処理と、
外部と前記非常電話装置とを接続する配線に対する電力供給の有無を判定する処理と、
前記非常電話装置を実現するコンピュータに、
前記無線通信装置によって電力供給があると判定された場合は前記配線を介して外部と通信し、前記無線通信装置によって電力供給がないと判定された場合は前記無線通信装置を介して外部と通信する処理と、
を実行させるための非常電話プログラム。
【請求項６】
互いに通信可能に接続された非常電話装置、無線通信装置、および蓄電装置を備え、
前記無線通信装置は、
外部と無線通信する無線通信部を含み、
前記蓄電装置は、
外部と前記非常電話装置とを接続する配線に対する電力供給の有無を判定する判定部を含み、
前記非常電話装置は、
前記判定部によって電力供給があると判定された場合は前記配線を介して外部と通信し、前記判定部によって電力供給がないと判定された場合は前記無線通信部を介して外部と通信する有線通信部を含む、非常電話システム。
【発明の詳細な説明】
【技術分野】
【０００１】
本発明は、非常電話システム、非常電話装置、非常電話方法および非常電話プログラムに関する。
【背景技術】
【０００２】
高速道路などにおいて、有事の際に利用者が異常の発生を交通管制室に通報するための非常電話システムがある。非常電話システムは、平常時のみならず災害時も使用可能であることが求められる。特許文献１には、災害に対する耐性を有する非常電話システムが記載されている。特許文献１に記載の非常電話システムにおいて、非常電話装置はＩＰ経路監視装置を介して複数の交通管制室に接続されているため、交通管制室の一つが被災した場合であっても他の交通管制室が通報を受け付けることができる。
【先行技術文献】
【特許文献】
【０００３】
【特許文献１】特開２０１２−０８５０７８号公報
【発明の概要】
【発明が解決しようとする課題】
【０００４】
ここで、特許文献１に記載の非常電話装置は、非常電話装置と一対一に設けられるＩＰ経路監視装置を経由して複数の交通管制室に接続されている。このため、非常電話装置とＩＰ経路監視装置とを接続する通配線に異常が発生した場合、非常電話装置を使用できない。
【０００５】
そこで、本発明の目的は、非常電話装置と外部とを接続する配線に異常が発生した場合も利用可能な非常電話システムを提供することである。
【課題を解決するための手段】
【０００６】
本発明の非常電話システムは互いに通信可能に接続された非常電話装置と無線通信装置とを備え、前記無線通信装置は、外部と無線通信する無線通信部と、外部と前記非常電話装置とを接続する配線に対する電力供給の有無を判定する判定部とを含み、前記非常電話装置は、前記判定部によって電力供給があると判定された場合は前記配線を介して外部と通信し、前記判定部によって電力供給がないと判定された場合は前記無線通信部を介して外部と通信する有線通信部を含む。
【発明の効果】
【０００７】
本発明によれば、非常電話装置と外部とを接続する配線に異常が発生した場合も利用可能な非常電話システムを提供することができる。
【図面の簡単な説明】
【０００８】
【図１】本発明の第１の実施形態に係る非常電話システム１の構成を示す機能ブロック図である。
【図２】本発明に係る非常通信システム１０００の概略図である。
【図３】非常電話システム２を示す機能ブロック図である。
【図４】非常電話システム２における非常電話装置１０、無線通信装置２０、蓄電池４０のハードウェア構成例を示す図である。
【図５】非常電話システム２における動作の流れを示すシーケンス図である。
【図６】無線通信装置２０における動作の流れを示すフローチャートである。
【図７】非常電話システム４を示す機能ブロック図である。
【図８】非常電話システム４における非常電話装置１１、および蓄電装置４１のハードウェア構成例を示す図である。
【図９】非常電話システム４における動作の流れを示すシーケンス図である。
【図１０】蓄電装置４１における動作を示すフローチャートである。
【発明を実施するための形態】
【０００９】
［第１の実施形態］
図１は、本発明の第１の実施形態に係る非常電話システム１の構成を示す機能ブロック図である。非常電話システム１は、非常電話装置１０と、無線通信装置２０とを含む。
【００１０】
無線通信装置２０は、外部と無線通信する第２通信部２０１（以下、無線通信部とも表記する）と、外部と非常電話装置１０とを接続する配線３０に対する電力供給の有無を判定する判定部２００とを含む。
【００１１】
非常電話装置１０は、判定部２００によって電力供給があると判定された場合は前記配線３０を介して外部と通信し、判定部２００によって電力供給がないと判定された場合は第２通信部２０１を介して外部と通信する第１通信部１００（以下、有線通信部とも表記する）を含む。
【００１２】
以上のように、第１の実施形態によれば判定部によって電力供給があると判定された場合は配線を介して外部と通信し、判定部によって電力供給がないと判定された場合は第２通信部を介して外部と通信する。したがって、非常電話装置と外部とを接続する配線に異常が発生した場合も利用可能な非常電話システムを提供することが出来る。
【００１３】
［第２の実施形態］
本発明の第２の実施形態に係る非常電話システムは、第１の実施形態に係る非常電話システム１と比較すると、蓄電池をさらに含む点で相違する。以下、第１の実施形態と同一の構成については同一の参照符号を付して説明を省略する。図２は、第２の実施形態に係る非常電話システム２を含む非常通信システム１０００の概略図である。非常通信システム１０００は、高速道路上での事故や乗用車の故障などの有事に、高速道路利用者（以下、ユーザ）が交通管制室３に通報するために用いられ、非常電話システム２、配線３０、集約装置５０、基地局６０ａ〜ｃ、通信網９１、および交通管制室３を含む。なお、図２に示す非常電話システム２および交通管制室３はそれぞれ１つであるが、これらは複数であってもよい。
【００１４】
配線３０は、非常電話システム２と集約装置５０とを通話可能に接続すると共に、非常電話システム２に電力を供給する。配線３０は、例えば電話線や電灯線である。
【００１５】
集約装置５０は、配線３０を介して非常電話システム２を通信網９１に接続すると共に、非常電話システム２の接続要求に応じて接続先を選択する。以下、本実施形態における接続先は受付台用サーバ７０ａ〜ｃのうちのいずれかであるものとして説明する。また、集約装置５０は、配線３０を介して非常電話システム２に電力供給する。非常通信システム１０００が複数の非常電話システム２を含む場合、集約装置５０は複数の非常電話システムの接続要求を集約し、接続先の選択や接続する順番を調整する。
【００１６】
基地局６０ａ〜ｃは、通信網９１を介して非常電話システム２と無線通信し、非常電話システム２を交通管制室３と有線または無線通信可能に接続する。なお、図２において非常通信システム１０００は３つの基地局６０ａ〜ｃを含むが、少なくとも１つの基地局を備えていればよい。
【００１７】
交通管制室３は、道路管理業者の道路管制センターなどの施設に設けられ、ユーザの通報を受け付ける。具体的には、交通管制室３は通信網９１および集約装置５０を介して非常電話システム２と通信することでユーザからの通報を受け付ける。また、交通管制室３は、集約装置５０および非常電話システム２間の通信に異常が発生した場合、基地局６０ａ〜ｃおよび通信網９１を介して非常電話システム２と通信する。
【００１８】
交通管制室３は、受付台用サーバ７０ａ〜ｃ、無線通信用サーバ８０ａ〜ｃ、および受付台９０ａ〜ｃを含む。受付台用サーバ７０ａ〜ｃは、集約装置５０と受付台９０ａ〜ｃとの間の通信を制御し、非常電話システム２との通信を中継する中継器である。具体的に、受付台用サーバ７０ａ〜ｃは、非常電話システム２の接続要求に応じて受付台９０ａ〜ｃを呼び出す。
【００１９】
無線通信用サーバ８０ａ〜ｃは、基地局６０ａ〜ｃと受付台用サーバ７０ａ〜ｃとの間の通信を制御し、非常電話システム２との通信を中継する中継器である。具体的に、無線通信用サーバ８０ａ〜ｃは、非常電話システム２の接続要求に応じて受付台用サーバ７０ａ〜ｃを介して受付台９０ａ〜ｃを呼び出す。
【００２０】
受付台９０ａ〜ｃは、受付台用サーバ７０ａ〜ｃを介して、あるいは受付台用サーバ７０ａ〜ｃおよび無線通信用サーバ８０ａ〜ｃの双方を介して通信網９１に接続され、非常電話システム２と通信する端末装置である。受付台９０ａ〜ｃは、受付台用サーバ７０ａ〜ｃ、または無線通信用サーバ８０ａ〜ｃが通信を受け付けた場合、呼び出し状態となる。交通管制室３のオペレータは、受付台９０ａ〜ｃを操作してユーザと通話する。
【００２１】
通信網９１は、ＩＰ網、公衆交換電話網、および光通信網などのネットワークである。通信網９１は、例えばリング型やメッシュ型のネットワークで構成される。
【００２２】
図３は、非常電話システム２の構成を示す機能ブロック図である。非常電話システム２は、電力供給可能な配線３０を介して集約装置５０と通信可能に接続する。また、非常電話システム２は、非常電話装置１０、無線通信装置２０、および蓄電池４０を含み、非常電話装置１０、無線通信装置２０、および蓄電池４０は、配線３０を介して非常電話システム２に供給される電力によって稼働する。さらに、非常電話装置１０、無線通信装置２０、および蓄電池４０は、有線通信可能に接続されている。
【００２３】
非常電話装置１０は、受付台９０ａ〜ｃと通信し、ユーザおよび交通管制室３間の通話を可能にする。また、非常電話装置１０は、配線３０に異常が発生した場合、無線通信装置２０を介して受付台９０ａ〜ｃと通信する。
【００２４】
非常電話装置１０は、切替部１０１および第１通信部１００を含む。切替部１０１は、無線通信装置２０から受け取った通知に応じて、配線３０および集約装置５０を介した通信と、無線通信装置２０を介した通信とを切り替える。具体的には、配線３０に異常が発生していない場合、および配線３０の異常が解消した旨を示す解消通知を無線通信装置２０から受け取った場合、図示しない入力部がユーザの操作を受け付けると、切替部１０１は、集約装置５０に接続要求を送信するよう第１通信部１００に指示する。一方、配線３０の異常を示す異常通知を無線通信装置２０から受け取った場合、入力部がユーザの操作を受け付けると、切替部１０１は、無線通信装置２０に接続要求を送信するよう第１通信部１００に指示する。
【００２５】
第１通信部１００は、切替部１０１の指示に応じて、集約装置５０または無線通信装置２０に対して接続要求を送信する。
【００２６】
無線通信装置２０は、配線３０に異常が発生した場合に図示しないバッテリからの電力供給によって駆動するバックアップ装置であって、非常電話装置１０から受け取った接続要求を基地局６０ａ〜ｃに転送する。また、無線通信装置２０がタブレット型の端末である場合、音声通話に加え電子メールなどのデータ通信が可能な構成としてもよい。
【００２７】
無線通信装置２０は、判定部２０２および第２通信部２０３を含む。判定部２０２は、配線３０に異常が発生したか否かを判定し、発生した場合、蓄電池４０に対して電力供給の開始を指示すると共に、異常通知を生成して切替部１０１に渡す。
【００２８】
具体的に、判定部２０２は無線通信装置２０に内蔵された電圧センサが出力する電圧値を監視する。無線通信装置２０は非常電話装置１０を介して配線３０から電力供給されているので、判定部２０２は電圧センサが出力する電圧値が閾値以下になったことをもって、配線３０から電力供給がない、すなわち配線３０に異常が発生したことを間接的に判定できる。そして、異常が発生したと判定すると、判定部２０２は、電源供給の開始を指示するための開始指示を生成して蓄電池４０に送信する。
【００２９】
一方、判定部２０２は、閾値以下となった電圧値が回復して閾値を超えたことをもって配線３０からの電力供給が再開した、すなわち配線３０の異常が解消したことを間接的に判定する。この場合、判定部２０２は電力供給の停止を指示するための停止指示を蓄電池４０に送信すると共に、解消通知を生成して切替部１０１に渡す。
【００３０】
なお、電力供給の有無は電流値の計測など、他の手段によって実現してもよい。ここで、非常電話装置１０は配線３０から直接電力供給され、無線通信装置２０および蓄電池４０は非常電話装置１０を介して間接的に配線３０から電力供給されている構成として説明したが、これに限定されない。配線３０が非常電話システム２内において３本に分岐することで、非常電話装置１０、無線通信装置２０、および蓄電池４０は配線３０から直接電力供給されてもよい。
【００３１】
第２通信部２０３は、基地局６０ａ〜ｃと無線通信可能に接続し、第１通信部１００から受信した接続要求を基地局６０ａ〜ｃに転送し、かつ受付台９０ａ〜ｃからの接続応答を非常電話装置１０に転送することで、非常電話装置１０と受付台９０ａ〜ｃとの通信を仲介する。第２通信部２０３が使用する無線通信の種別は、公衆網、Ｗｉ−Ｆｉ（登録商標）通信、自営網など、無線通信の種別を問わず実現可能である。
【００３２】
蓄電池４０は、集約装置５０から配線３０を介して電力供給されて蓄電する。蓄電池４０は、無線通信装置２０から受信した開始指示／停止指示に応じて非常電話装置１０および無線通信装置２０に対する電力供給を開始／停止する。
【００３３】
図４は、第２の実施形態に係る非常電話システム２における非常電話装置１０、および無線通信装置２０のハードウェア構成例を示す図である。
【００３４】
非常電話装置１０は、バス１０２、ＣＰＵ１０３（Ｃｅｎｔｒａｌ  Ｐｒｏｃｅｓｓｉｎｇ  Ｕｎｉｔ）、メモリ１０４、ストレージデバイス１０５、および有線通信インタフェース１０６を含む。
【００３５】
バス１０２は、ＣＰＵ１０３、メモリ１０４、ストレージデバイス１０５、および有線通信インタフェース１０６が相互にデータを送受信するためのデータ伝送路である。
【００３６】
メモリ１０４は、例えばＲＡＭ（Ｒａｎｄｏｍ  Ａｃｃｅｓｓ  Ｍｅｍｏｒｙ）などで実現される主記憶装置である。ストレージデバイス１０５は、ハードディスクやＳＳＤ（Ｓｏｌｉｄ  Ｓｔａｔｅ  Ｄｒｉｖｅ）、ＲＯＭ（Ｒｅａｄ  Ｏｎｌｙ  Ｍｅｍｏｒｙ）、メモリーカードなどで実現される補助記憶装置である。なお、ストレージデバイス１０５は、ＲＡＭなどの主記憶装置の実現に用いられるハードウェアと同様のハードウェアで実現されてもよい。
【００３７】
ストレージデバイス１０５は、非常電話装置１０の各機能を実現するプログラムモジュールを記憶する。ＣＰＵ１０３は、これら各プログラムモジュールをメモリ１０４に読み出して実行することで、図３に示す機能ブロック図の機能を実現する。
【００３８】
有線通信インタフェース１０６は、ＷＡＮ（Ｗｉｄｅ  Ａｒｅａ  Ｎｅｔｗｏｒｋ）やＬＡＮ（Ｌｏｃａｌ  Ａｒｅａ  Ｎｅｔｗｏｒｋ）などで集約装置５０に接続するためのインタフェースである。
【００３９】
無線通信装置２０は、バス２０４、ＣＰＵ２０５、メモリ２０６、ストレージデバイス２０７、センサ２０８、無線通信インタフェース２０９、および有線通信インタフェース２１０を含む。無線通信装置２０のバス２０４、ＣＰＵ２０５、メモリ２０６、ストレージデバイス２０７、および有線通信インタフェース２１０の構成は、非常電話装置１０の構成と略同一である。
【００４０】
センサ２０８は、電力供給の有無を判定するためのセンサであり、例えば電圧センサ、電流センサである。
【００４１】
無線通信インタフェース２０９は、無線で通信網９１に接続するためのインタフェースである。
【００４２】
［非常電話システムの動作］
図５は、非常電話システム２における動作の流れを示すシーケンス図である。同図において正常時にユーザが非常電話装置１０を操作すると、非常電話装置１０は配線３０および集約装置５０を介して接続要求を受付台９０ａ〜ｃに送信する（ステップＳ５０１）。接続要求を受信した受付台９０ａ〜ｃは、オペレータによる操作に応じて接続応答を非常電話装置１０に送信する（ステップＳ５０２）。
【００４３】
無線通信装置２０は、電圧センサが出力する電圧値が閾値以下になった場合、配線３０に異常が発生したと判定し(ステップＳ５０３)、蓄電池４０に開始指示を送信する（ステップＳ５０４）。蓄電池４０は、開始指示を受信すると、非常電話装置１０および無線通信装置２０に対する電力供給を開始する（ステップＳ５０５）。そして、無線通信装置２０が異常通知を非常電話装置１０に送信する（ステップＳ５０６）と、非常電話装置１０は、接続要求の送信先を無線通信装置２０に変更する（ステップＳ５０７）。非常電話装置１０は、ユーザによる操作を受け付けると接続要求を無線通信装置２０に送信し（ステップＳ５０８）、無線通信装置２０は、受信した接続要求を基地局６０ａ〜ｃを介して受付台９０ａ〜ｃに転送する（ステップＳ５０９）。受付台９０ａ〜ｃは、オペレータの操作に応じて接続応答を無線通信装置２０に送信する（ステップＳ５１０）。無線通信装置２０は、受信した接続応答を非常電話装置１０に転送する（ステップＳ５１１）。
【００４４】
無線通信装置２０は、電力供給の再開によって電圧値が回復し閾値を超えた場合、配線３０の異常が解消したと判定し（ステップＳ５１２）、停止指示を蓄電池４０に送信する（ステップＳ５１３）。蓄電池４０は、停止指示を受信すると、非常電話装置１０および無線通信装置２０への電力供給を停止する（ステップＳ５１４）。また、無線通信装置２０は、解消通知を非常電話装置１０に送信する（ステップＳ５１５）。非常電話装置１０は、解消通知を受信すると、接続要求の送信先を無線通信装置２０から集約装置５０に戻す（ステップＳ５１６）。
【００４５】
［無線通信装置の動作］
図６は、無線通信装置２０における動作の流れを示すフローチャートである。同図において、判定部２０２は無線通信装置２０に内蔵された電圧センサが出力する電圧値を監視し、閾値を超えた場合、配線３０に異常が発生していないと判定して（ステップＳ３００においてＮＯ）、ステップＳ３００の処理を繰り返す。一方、電圧値が閾値以下である場合、判定部２０２は配線３０に異常が発生したと判定して（ステップＳ３００においてＹＥＳ）、蓄電池４０に開始指示を送信して電力供給の開始を指示する (ステップＳ３０１)。そして、判定部２０２は、異常通知を生成して非常電話装置１０に送信し、配線３０における異常の発生を通知する(ステップＳ３０２)。
【００４６】
第２通信部２０１は、非常電話装置１０から接続要求を受信するまで待機し（ステップＳ３０３においてＮＯ）、接続要求を受信すると（ステップＳ３０３においてＹＥＳ）、基地局６０ａ〜ｃを介して受付台９０ａ〜ｃに転送する（ステップＳ３０４）。
【００４７】
判定部２０２は電圧値を監視し、配線３０の異常が解消するまで待機する（ステップＳ３０５においてＮＯ）。閾値以下となった電圧値が回復して閾値を超えた場合、判定部２０２は配線３０の異常が解消したと判定し（ステップＳ３０５においてＹＥＳ）、停止指示を蓄電池４０に送信する（ステップＳ３０６）。そして、判定部２０２は、解消通知を生成して非常電話装置１０に送信し（ステップＳ３０７）、処理を終了する。
【００４８】
以上のように、第２の実施形態によれば、電力を供給する配線に異常が発生した場合、蓄電池から非常電話装置に対する電力供給を開始するため、非常電話装置を継続的に稼働させることができる。また、無線通信装置を介した通信に切り替えることで、異常の有無に関わらずオペレータへの通報が可能になる。さらに、配線の異常が解消した場合は接続要求の送信先を集約装置に戻すことで、非常電話装置が無線通信装置を介さずに交通管制室と通信する構成に戻すことができる。
【００４９】
［第３の実施形態］
本発明の第３の実施形態に係る非常電話システムは、蓄電池４０の替りに蓄電装置を含み、無線通信装置２０を含まず、非常電話装置が切替部１０１を有さず、第２通信部を有する点で第２の実施形態と相違する。以下、第２の実施形態と同一の構成については同一の参照符号を付し、説明を省略する。
【００５０】
図７は、第３の実施形態に係る非常電話システム４を示す機能ブロック図である。非常電話システム４は、非常電話装置１１および蓄電装置４１を含む。
【００５１】
非常電話装置１１は、第１通信部１００および第２通信部１０７を含む。第２通信部１０７は、判定部４０１の判定結果に基づいて、基地局６０ａ〜ｃと無線により接続し、基地局６０ａ〜ｃを介して受付台９０ａ〜ｃと通信する。
【００５２】
蓄電装置４１は、充放電部４００および判定部４０１を含む。充放電部４００は、蓄電池４０と同様の機能を有する。判定部４０１は、集約装置５０から配線３０を介して蓄電装置４１に電力供給されているか否かを判定する。判定方法は、判定部２０２と同様である。また、判定部４０１は判定結果に基づいて充放電部４００に電力供給の開始または停止を指示し、さらに、判定結果を第２通信部１０７に通知する。充放電部４００は、判定部４０１の指示に従い、非常電話装置１１への電力供給を開始または停止する。
【００５３】
図８は、本実施形態に係る非常電話システム４における非常電話装置１１、および蓄電装置４１のハードウェア構成例を示す図である。非常電話装置１１は、バス１０８、ＣＰＵ１０９、メモリ１１０、ストレージデバイス１１１、センサ１１２、有線通信インタフェース１１３、および無線通信インタフェース１１４を含む。非常電話装置１１のバス１０８、ＣＰＵ１０９、メモリ１１０、ストレージデバイス１１１、センサ１１２、および有線通信インタフェース１１３の構成は、非常電話装置１０のハードウェア構成と略同一である。また、無線通信インタフェース１１４の構成は、無線通信インタフェース２０９の構成と略同一である。
【００５４】
蓄電装置４１は、バス４０２、電池パック４０３、ＣＰＵ４０４、メモリ４０５、およびストレージデバイス４０６を含む。蓄電装置４１のバス４０２、ＣＰＵ４０４、メモリ４０５、およびストレージデバイス４０６の構成は、非常電話装置１０の構成と略同一である。電池パック４０３は、複数の電池セルを有し、電力を蓄電する。
【００５５】
［非常電話システムの動作］
図９は、非常電話システム４における動作を示すシーケンス図である。図５と同様の動作については説明を省略する。
【００５６】
ステップＳ５０１〜ステップＳ５０２は第２の実施形態と同様に動作する。蓄電装置４１は、蓄電装置４１に内蔵された電圧センサが出力する電圧値を監視し、電圧センサが出力する電圧値が閾値以下になったことをもって、配線３０から電力供給がない、すなわち配線３０に異常が発生したことを間接的に判定し（ステップＳ５１７）、非常電話装置１０に電力供給を開始する（ステップＳ５１８）。そして、蓄電装置４１が、異常通知を非常電話装置１１に通知する（ステップＳ５１９）と、非常電話装置１１は、基地局６０ａ〜ｃとの無線通信機能を有効にする（ステップＳ５２０）。非常電話装置１１は、ユーザによる操作を受け付けると、接続要求を基地局６０ａ〜ｃを介して受付台９０ａ〜ｃに送信する（ステップＳ５２１）。受付台９０ａ〜ｃは、オペレータの操作に応じて接続応答を非常電話装置１１に送信する（ステップＳ５２２）。
【００５７】
蓄電装置４１は、閾値以下となった電圧値が回復して閾値を超えたことをもって、配線３０から電力供給がある、すなわち配線３０の異常が解消したことを間接的に判定し（ステップＳ５２３）、非常電話装置１１への電力供給を停止（ステップＳ５２４）する。また、蓄電装置４１は、解消通知を非常電話装置１１に送信する（ステップＳ５２５）。非常電話装置１１は、解消通知を受信すると、無線通信機能を無効にする（ステップＳ５２６）。
【００５８】
［蓄電装置の動作］
図１０は、蓄電装置４１における動作を示すフローチャートである。同図において、判定部４０１は蓄電装置４１に内蔵された電圧センサが出力する電圧値を監視し、閾値を超えた場合、配線３０に異常が発生していないと判定して（ステップＳ３０８においてＮＯ）、ステップＳ３０８の動作を繰り返す。一方、電圧値が閾値以下である場合、判定部４０１は配線３０に異常が発生したと判定して（ステップＳ３０８においてＹＥＳ）、充放電部４００は非常電話装置１１に電力供給を開始する（ステップＳ３０９）。そして、判定部４０１は異常通知を非常電話装置１１に送信する（ステップＳ３１０）。
【００５９】
判定部４０１は電圧値を監視し、配線３０の異常が解消するまで待機する（ステップＳ３１１においてＮＯ）。閾値以下となった電圧値が回復して閾値を超えた場合、判定部４０１は配線３０の異常が解消したと判定し（ステップＳ３１１においてＹＥＳ）、充放電部４００は電力供給を停止する（ステップＳ３１２）。そして、判定部４０１は解消通知を非常電話装置１１に通知し（ステップＳ３１３）、処理を終了する。
【００６０】
以上のように第３の実施形態によれば、蓄電装置が判定部を有し、非常電話装置が第２通信部を有しているため、非常電話装置と蓄電装置で非常電話システムを提供することができる。また、蓄電装置が判定部を備えているため、非常電話装置にバッテリなどの電力供給手段を備えておく必要が無く、非常電話装置の構成を簡素化することができる。
【００６１】
［変形例］
なお、第３の実施形態に係る非常電話システム４は、無線通信装置を含む構成とすることもできる。この際、非常電話システム４は、蓄電池４０の替りに蓄電装置４１を含み、無線通信装置が判定部２０２を有さない点で第２の実施形態と相違する。また、蓄電装置４１は、充放電部４００および判定部４０１を含む。
【００６２】
第２の実施形態と異なる動作を説明する。判定部４０１は蓄電装置４１に内蔵された電圧センサが出力する電圧値を監視し、電圧値が閾値以下になったことをもって、配線３０から電力供給がない、すなわち配線３０に異常が発生したと判定する。判定部４０１によって異常が発生したと判定されると、充放電部４００は非常電話装置１０および無線通信装置に電力供給を開始して、判定部４０１は異常通知を非常電話装置１０に送信する。そして、異常通知を受信した非常電話装置１０は、ユーザの操作を受け付けると、接続要求を無線通信装置に送信する。
【００６３】
一方、判定部４０１は、閾値以下となった電圧値が回復して閾値を超えたことをもって配線３０からの電力供給が再開した、すなわち配線３０の異常が解消したと判定する。判定部４０１によって異常が解消したと判定された場合、充放電部４００は非常電話装置および無線通信装置への電力供給を停止して、判定部４０１は解消通知を非常電話装置１０に送信する。そして、解消通知を受信した非常電話装置１０は、接続要求の送信先を無線通信装置から集約装置５０に戻す。
【００６４】
以上のように、判定部によって電力供給があると判定された場合は、配線を介して接続する集約装置から外部と通信し、判定部によって電力供給がないと判定された場合は無線通信装置を介して外部と通信する。したがって、非常電話装置と外部とを接続する配線に異常が発生した場合も利用可能な非常電話システムを提供することが出来る。
【００６５】
上述した第１〜第３の実施形態は、本発明の技術思想を逸脱しない範囲で、適宜組み合わせを実施することができる。
［付記１］
互いに通信可能に接続された無線通信装置と非常電話装置とを備え、
前記無線通信装置は、
外部と無線通信する無線通信部と、
外部と前記非常電話装置とを接続する配線に対する電力供給の有無を判定する判定部とを含み、
前記非常電話装置は、
前記判定部によって電力供給があると判定された場合は前記配線を介して外部と通信し、前記判定部によって電力供給がないと判定された場合は前記無線通信部を介して外部と通信する有線通信部を含む、
非常電話システム。
［付記２］
前記無線通信装置と通信可能に接続され、かつ前記配線からの電力供給により蓄電する蓄電池をさらに備え、
前記蓄電池は、前記判定部によって電力供給がないと判定された場合、前記非常電話装置に対する電力供給を開始し、前記判定部によって電力供給があると判定された場合、前記非常電話装置に対する電力供給を停止する、
付記１に記載の非常電話システム。
［付記３］
非常電話装置と互いに通信可能に接続され、
外部と無線通信する無線通信部と、
外部と非常電話装置とを接続する配線に対する電力供給の有無を判定する判定部とを含み、
前記判定部は、電力供給がないと判定した場合は、前記非常電話装置に前記配線の異常を示す異常通知を送信し、前記異常通知を送信した後、電力供給があると判定した場合は、前記異常の解消を示す解消通知を前記非常電話装置へ送信し、
前記無線通信部は、前記判定部によって電力供給がないと判定された場合は、前記非常電話装置からの接続要求を外部に転送する、
無線通信装置。
［付記４］
互いに通信可能に接続された無線通信装置と非常電話装置とを備える非常電話システムにおいて、
前記無線通信装置は、
外部と無線通信し、
外部と前記非常電話装置とを接続する配線に対する電力供給の有無を判定し、
前記非常電話装置は、
前記無線通信装置によって電力供給があると判定された場合は前記配線を介して外部と通信し、前記無線通信装置によって電力供給がないと判定された場合は前記無線通信装置を介して外部と通信する、
非常電話方法。
［付記５］
互いに通信可能に接続された無線通信装置と非常電話装置とにおいて、
前記無線通信装置を実現するコンピュータに、
外部と無線通信する処理と、
外部と前記非常電話装置とを接続する配線に対する電力供給の有無を判定する処理と、
前記非常電話装置を実現するコンピュータに、
前記無線通信装置によって電力供給があると判定された場合は前記配線を介して外部と通信し、前記無線通信装置によって電力供給がないと判定された場合は前記無線通信装置を介して外部と通信する処理と、
を実行させるための非常電話プログラム。
［付記６］
互いに通信可能に接続された非常電話装置、無線通信装置、および蓄電装置を備え、
前記無線通信装置は、
外部と無線通信する無線通信部を含み、
前記蓄電装置は、
外部と前記非常電話装置とを接続する配線に対する電力供給の有無を判定する判定部を含み、
前記非常電話装置は、
前記判定部によって電力供給があると判定された場合は前記配線を介して外部と通信し、前記判定部によって電力供給がないと判定された場合は前記無線通信部を介して外部と通信する有線通信部を含む、非常電話システム。
【符号の説明】
【００６６】
１、２、４    非常電話システム
１０、１１    非常電話装置
２０    無線通信装置
３０    配線
１００    第１通信部
１０１    切替部
２００、２０２、４０１    判定部
２０１、２０３、１０７    第２通信部
１０００    非常通信システム
３    交通管制室
４０    蓄電池
４１    蓄電装置
４００    充放電部
５０    集約装置
６０ａ、６０ｂ、６０ｃ    基地局
７０ａ、７０ｂ、７０ｃ    受付台用サーバ
８０ａ、８０ｂ、８０ｃ    無線通信用サーバ
９０ａ、９０ｂ、９０ｃ    受付台
９１    通信網
１０２、２０４、４０２、１０８    バス
１０３、２０５、１０９、４０４    ＣＰＵ
１０４、２０６、１１０、４０５    メモリ
１０５、２０７、１１１、４０６    ストレージデバイス
２０８、１１２    センサ
１０６、２１０、１１３    有線通信インタフェース
２０９、１１４    無線通信インタフェース
４０３    電池パック
【図１】
2019134385.tif 000003
【図２】
2019134385.tif 000004
【図３】
2019134385.tif 000005
【図４】
2019134385.tif 000006
【図５】
2019134385.tif 000007
【図６】
2019134385.tif 000008
【図７】
2019134385.tif 000009
【図８】
2019134385.tif 000010
【図９】
2019134385.tif 000011
【図１０】
2019134385.tif 000012